(57)【特許請求の範囲】
【請求項１】
シート状部材で形成される、矩形状の底面板と該底面板各辺から垂直に立設されたそれぞれ矩形状の正面板、背面板、左右側面板からなる四角筒状の胴部と、該胴部上端の天面を閉塞する矩形状の天面板からなる陳列兼用カートンであって、
前記正面板、前記天面板、前記背面板にはそれぞれの両側端辺間の中央部を前記正面板の下端辺から発し前記背面板の下端辺に到る平行な破断線がその両端を閉じて刻設形成される縦断ジッパーを備え、
前記底面板には前記正面板及び前記背面板のそれぞれの下端辺の中間点を結び前記縦断ジッパーの両端間に亘って刻設された底面区画縦折線を備え、
前記底面板は、前記背面板及び前記正面板のそれぞれに連設された第一底面板及び第二底面板、並びに前記左右側面板に連設された第一重合底面板及び第二重合底面板で構成されており、
前記第一底面板及び第二底面板には、それぞれ前記底面区画縦折線が設けられており、前記底面区画縦折線の先端が重なることがないこと
を特徴とする陳列兼用カートン。
【請求項２】
前記正面板、前記背面板、前記左右側面板にはそれぞれの上下両端辺間の中央部を前記四角筒状の胴部に亘って平行な破断線がその両端を閉じて刻設形成される横断ジッパーを備えていることを特徴とする請求項１に記載の陳列兼用カートン。
【請求項３】
前記正面板の前記縦断ジッパーで区分されるそれぞれの面には破断線が刻設され、前記縦断ジッパーと前記破断線により囲まれた切除予定部を有することを特徴とする請求項１又は２のいずれかに記載の陳列兼用カートン。
【発明の詳細な説明】
【技術分野】
【０００１】
本発明は、縦横寸法の異なる矩形状の商品を集積収納するカートンで、封入時点では横長の並列状態で保管・搬送することができ、販売時点では商品を縦長、横長いずれの方向の並列状態でも展示できる陳列方式を選択可能な陳列兼用カートンに関するものである。
【背景技術】
【０００２】
個装された商品は、カートンに１０個等の単位で集積・収納され、保管、搬送されて、市場での販売に供される。保管や搬送においては、集積・収納された商品の保護に加え、収容スペースを抑えて、保管や輸送にかかるコストを低減する必要がある。また、スーパーやコンビニエンスストア等の店頭では、同種の商品群が同一領域に並べられ販売されるため、競合する商品群の中で、消費者の購買意欲を刺激することが、商品を小分けして収納されたカートンにも求められているが、商品を陳列するスペースは限られており、保護性、収納性に加え、開封作業性や陳列性に優れたカートンが併せて求められている。
【０００３】
近年、矩形状など縦横寸法の異なる商品サイズを有する商品の個装に、一方の面を縦長のデザイン、他方の面を横長のデザインとして、両面のそれぞれを正面としたデザインを施し、幅方向のスペースが確保できる売場では、横長のデザイン面を正面として利用し、幅方向のスペースが少ない場合には、縦長のデザインを正面とする展示を可能としており、このような両面デザインを施した商品を収納し、陳列展示スペースの大きさに合わせた展示が可能な集合包装のカートンが要望されている。前記要望に対し、胴部と底部とを有する容器において、容器の胴部を一周するように形成した横方向のジッパと、横方向のジッパに交差する状態で、容器の底部および胴部に跨って縦ジッパを形成し、かつ交差部には各ジッパの切れ線の延長上に位置して２本の平行なミシン目を互い違いに刻設したことを特徴とする縦、横開封可能の陳列箱で、縦、横何れの方向に対しても容器を開封して展示することができるものが提案されている（たとえば、特許文献１）。
【０００４】
上記特許文献に記載の陳列箱は、実施例に直方体の板紙製容器が示され、正面板、背面板、相対向する側板から形成される無端状の胴部に対し、連続した帯状の開封用ジッパが横方向に刻設され、他方、前記開封用ジッパと交差する方向すなわち前記相対向する両側板と該両側板に連なる係止片それぞれに対して、前記両側板の長手方向に沿った帯状の開封用ジッパが縦方向に刻設された紙箱が示されている。
無端状の胴部に対し横方向に刻設された帯状の開封用ジッパを開封すれば、胴部を天地方向に分割でき天方向部分を除去すれば商品を縦向きに露出させて陳列でき、陳列箱の胴部を横向きに寝かせ両側板の長手方向に沿って刻設した帯状の開封用ジッパを開封すれば、陳列箱の正面板及び背面板方向に分割できるので正面板及び背面板のいずれかの方向部分を除去すれば商品を横向きとして陳列できる。
【０００５】
上記特許文献の実施例に示された陳列箱は、特許文献の図３（ｂ）、図４（ｂ）に表わされるように、縦向きも横向きもそれぞれ商品を奥行方向に一列で集積収納して陳列されるものであり、図３（ｂ）に示されるような、縦向きで一列とした陳列箱は、商品の取り出しにあたって陳列箱が転倒し易いという問題点を有していた。
また、幅方向の狭い商品を収納する場合、一列の陳列では商品フェイスが狭すぎ、購買者の視認性が低いので、商品を幅方向二列に配置することで正面からの視認性を高めた陳列方式が用いられるが、特許文献の実施例の陳列箱では、幅方向の狭い商品を図３（ａ）において上下二段に収納する状態とし、横ジッパを開封して陳列箱を上下方向に分割し、分割したそれぞれの陳列箱の側面を突合せて陳列する必要があり、陳列作業が煩雑となってしまったり、図３（ａ）の状態で横ジッパを開封し分割する際に、誤って上段の商品がこぼれ落ちてしまうという惧れがある。
【０００６】
【特許文献１】特開平１０−８６９３６号公報
【発明の概要】
【発明が解決しようとする課題】
【０００７】
そこで本発明は、矩形状商品が並列状態で集積収納され、搬送及び展示に供されるカートンにおいて、商品を煩雑な操作を要することなく収納でき、簡便な操作で開封でき、商品の縦長或いは横長の並列状態での陳列方式が選択可能なカートンを提供することにある。
【課題を解決するための手段】
【０００８】
上記課題を解決するため、請求項１記載の発明は、シート状部材で形成される、矩形状の底面板と該底面板各辺から垂直に立設されたそれぞれ矩形状の正面板、背面板、左右側面板からなる四角筒状の胴部と、該胴部上端の天面を閉塞する矩形状の天面板からなる陳列兼用カートンであって、前記正面板、前記天面板、前記背面板にはそれぞれの両側端辺間の中央部を前記正面板の下端辺から発し前記背面板の下端辺に到る平行な破断線がその両端を閉じて刻設形成される縦断ジッパーを備え、前記底面板には前記正面板及び前記背面板のそれぞれの下端辺の中間点を結び前記縦断ジッパーの両端間に亘って刻設された底面区画縦折線を備え、前記底面板は、前記背面板及び前記正面板のそれぞれに連設された第一底面板及び第二底面板、並びに前記左右側面板に連設された第一重合底面板及び第二重合底面板で構成されており、前記第一底面板及び第二底面板には、それぞれ前記底面区画縦折線が設けられており、前記底面区画縦折線の先端が重なることがないことを特徴とする陳列兼用カートンである。このように構成することにより、縦断ジッパーの開封によって、カートンの背面板、天面板、正面板の３面に亘って分断し、残されたカートンの底面板の底面区画縦折線を折り曲げることにより、振り分け荷物状にカートンが開封され、振り分けられたそれぞれの上部開放トレー状部に矩形状の収納物が縦長に収納された並列状態での陳列形式とすることができる。
【０００９】
請求項２の発明は、前記正面板、前記背面板、前記左右側面板にはそれぞれの上下両端辺間の中央部を前記四角筒状の胴部に亘って平行な破断線がその両端を閉じて刻設形成される横断ジッパーを備えていることを特徴とする請求項１に記載の陳列兼用カートンである。このように構成することにより、横断ジッパーの開封によってカートンの胴部を全周にわたって切り取り、残されたカートン下部によるトレー状態とすることができるので、矩形状収納物の横長の並列状態での陳列形式とすることができる。
【００１０】
請求項３の発明は、前記正面板の前記縦断ジッパーで区分されるそれぞれの面には破断線が刻設され、前記縦断ジッパーと前記破断線により囲まれた切除予定部を有することを特徴とする請求項１又は２のいずれかに記載の陳列兼用カートンで、このように構成することにより、縦断ジッパーによる開封後、振り分け荷物型に形成されたそれぞれのカートンの正面板部分に、上端辺から下向きコ字状の展示用切欠部が形成できるので、二列の収納物のそれぞれ正面部分を露出して、より購買者の注目を喚起することができる。
【発明の効果】
【００１１】
本発明は、横長の矩形状商品を並列状態に集積収納し、保管、搬送される陳列兼用カートンであって、煩雑な操作を要することなく集積、収納でき、カートンを水平方向に横断する横断ジッパーによる開封を行えば、カートン下部に形成されるトレー状部分に収納物を横長の並列状態として陳列展示でき、カートンの縦断ジッパーによる開封と振り分け荷物状の折り曲げにより、振り分けられたそれぞれの上部開放トレー状部に収納物を縦長の並列状態として陳列展示することが選択できるので、上記横長の並列状態では載置できない狭いスペースでの展示が可能となり、販売スペースの有効利用が可能となる。
前記振り分けられた上部開放トレー状部はそれぞれ折り曲げられた底面板で連続しているので分離されることがなく、正面板方向から見た商品の並列状態の幅を有した展示面が維持されることにより、前記特許文献の、商品の一列の陳列で商品フェイスが狭すぎ、購買者の視認性が低く、カートンの幅が狭くなりすぎることによるカートンの転倒が発生するという問題を解消できる。また、縦長、横長に陳列方式を換えることで、購買者の印象が変化して注目を得ることができ、スーパーマーケットやコンビニエンスストア等の限られた展示スペースにおいて、競合する商品群の中に置かれても自社の商品をアピールし、売上の増加を図ることが出来る。
【図面の簡単な説明】
【００１２】
【図１】本発明に係るカートンの実施形態の展開平面図。
【図２】（ａ）実施形態の起函状態と収納物の収納状態を示す斜視図。（ｂ）実施形態の包装完了状態を示す斜視図。
【図３】実施形態の横断ジッパーによる開封後の横長並列の陳列展示状態を示す斜視図。
【図４】実施形態の縦断ジッパーによる開封後の縦長並列の陳列展示状態を示す斜視図。
【発明を実施するための形態】
【００１３】
本発明につき、図面等を用いて以下に詳述する。尚、図１は本発明に係る陳列兼用カートンの実施形態の展開平面図。図２（ａ）は実施形態の起函状態と収納物の収納状態を示す斜視図。図２（ｂ）は実施形態の包装完了状態を示す斜視図。図３は実施形態の横断ジッパーによる開封後の横長並列の陳列展示状態を示す斜視図。図４は実施形態の縦断ジッパーによる開封後の縦長並列の陳列展示状態を示す斜視図である。
【００１４】
図１は、本発明に係る陳列兼用カートンの実施形態の展開平面図で、図１において、左から順に縦折線Ｌ１、Ｌ２、Ｌ３、Ｌ４を介して順次連設される貼着板５、背面板１、左側面板２、正面板３、右側面板４からカートンの胴部が構成される。背面板３の上部延長上には横折線Ｌ５を介して重合天面板６が連設され、左側面板２及び右側面板４のそれぞれの上部延長上には横折線Ｌ６及びＬ８を介してそれぞれ天面支持板７及び９が連設され、正面板３の上部延長上には横折線Ｌ７を介して天面板８が連設されている。背面板１及び正面板３のそれぞれの下部延長上には横折線Ｌ９及びＬ１１を介してそれぞれ底面板１０及び１２が連設され、左側面板２及び右側面板４のそれぞれの下部延長上には横折線Ｌ１０及びＬ１２を介してそれぞれ重合底面板１１及び１３が連設され、前記底面板１０及び１２の一側端（図１においては右側端）には４５度傾斜の斜め折線Ｌ１３及びＬ１４を介してそれぞれ貼着底面板１４及び１５が延設されており、底部構成を一般にオートボトムカートン或いは底貼り型カートンと呼ばれる形式としたものである。
【００１５】
前記背面板１、前記左側面板２、前記正面板３、前記右側面板４の上下両端辺間すなわち上辺を構成する横折線Ｌ５、Ｌ６、Ｌ７、Ｌ８と下辺を構成する横折線Ｌ９、Ｌ１０、Ｌ１１、Ｌ１２との間の略中央部、及び前記貼着板５の上下端略中央部を横断する横断ジッパー１８が所定幅を有して上下両端辺と平行にそれぞれ刻設された鉤状破断線Ｌ１７、Ｌ１８間に前記縦折線Ｌ１近傍の逆コ字状切目を始点として形成され、前記重合天面板６の左右両側端辺及び前記背面板１の左右両側端辺すなわち縦折線Ｌ１、Ｌ２とのそれぞれの間の中央部を縦断する縦断ジッパー１９が所定幅を有して縦折線と平行に刻設されたＹ字状破断線Ｌ１９、Ｌ２０間に前記重合天面板６の上端辺に突出する逆Ｕ字状凸部を始点として形成されると共に、前記天面板８の左右両側端辺及び前記正面板３の左右両側端辺すなわち縦折線Ｌ３、Ｌ４とのそれぞれの間の中央部を縦断する縦断ジッパー２０が所定幅を有して縦折線と平行に刻設されたＹ字状破断線Ｌ２１、Ｌ２２間に前記天面板８の上端辺の横向きコ字状の切目を始点として形成され、前記底面板１０を二分する底面区画縦折線Ｌ２５が前記横折線Ｌ９の中間点から刻設され、同じく前記底面板１２を二分する底面区画縦折線Ｌ２６が前記横折線Ｌ１１の中間点から刻設されている。
【００１６】
前記正面板３の前記縦断ジッパー２０で区分されたそれぞれの面には前記縦断ジッパー２０のＹ字状破断線Ｌ２１のそれぞれ横折線Ｌ７、Ｌ１１に近傍する位置から縦折線Ｌ３方向に略逆コ字状をなして横断ジッパー１８を跨ぐ破断線Ｌ２３が刻設され、該破断線Ｌ２３と前記Ｙ字状破断線Ｌ２１とで切除予定部（２３）を区画形成し、一方、Ｙ字状破断線Ｌ２２のそれぞれ横折線Ｌ７、Ｌ１１に近傍する位置から縦折線Ｌ４方向に略コ字状をなして横断ジッパー１８を跨ぐ破断線Ｌ２４が刻設され、該破断線Ｌ２４と前記Ｙ字状破断線Ｌ２２とで切除予定部（２４）を区画形成している。
【００１７】
前記背面板１の前記縦断ジッパー１９で区分された上端辺には、区分された横折線Ｌ５のそれぞれ略中央部に係止差込溝２１、２２がそれぞれ穿設され、一方、前記天面板８の前記縦断ジッパー２０で区分された上端辺には、区分された上端辺のそれぞれ略中央部に横折線Ｌ１５、Ｌ１６を介して延長上に係止差込片１６、１７が連設されている。
【００１８】
実施形態の折り畳み及び貼着を行う工程は、図示は省略するが、背面板１、左側面板２、正面板３、右側面板４のそれぞれの下端辺の横折線Ｌ９、Ｌ１０、Ｌ１１、Ｌ１２を用いてそれぞれ底面板１０、重合底面板１１、底面板１２、重合底面板１３を折り曲げると共に、斜め折線Ｌ１３及びＬ１４を用いてそれぞれ貼着底面板１４及び１５が逆折りした後に、縦折線Ｌ２及びＬ４を用いて前記背面板１及び前記右側面板４を折り畳み、前記重合底面板１１と前記貼着底面板１４、前記重合底面板１３と前記貼着底面板１５をそれぞれ糊着すると共に、重合する前記右側面板４の内面と貼着板５の外面とを糊着して、扁平に折り畳まれ貼着されたカートンが形成される。
【００１９】
図２（ａ）は実施形態の起函状態と収納物の収納状態を示す背面板１側から見た斜視図であって、前述のように扁平に折り畳まれ貼着されたカートンは、縦折線Ｌ１、Ｌ２、Ｌ３、Ｌ４をそれぞれ用いた起函操作により、折り畳まれていた底面板１０、１２と、折り畳まれ貼着底面板１４、１５とそれぞれ重合貼着されていた重合底面板１１、１３とが自動的に引き起こされ、それぞれの略中央部で係止されて底面部を形成すると共に、重合天面板６、天面支持板７、天面板８、天面支持板９がそれぞれ起立して、天面部が開口された状態でカートンＡ’が起函する。尚、実施形態は、前述のように、底部構成を一般にオートボトムカートン或いは底貼り型カートンと呼ばれる形式としたので、扁平な折り畳み状態からカートンの起函がし易く、また、起函により天面部の広い開口面を形成する。
【００２０】
図２（ａ）において、起函により開口されたカートンＡ’の天面部から、矩形状の収納物Ｍを横長状態で、正面板１側から背面板３方向に並列状態で収納した後、横折線Ｌ６、Ｌ８を用いて天面支持板７及び９を、横折線Ｌ５を用いて重合天面板６の順に折り畳み、横折線Ｌ７を用いて天面板８を折り畳みつつ、横折線Ｌ１５、Ｌ１６を用いて折り曲げた係止差込片１６及び１７をそれぞれ横折線Ｌ５上の係止差込溝２２及び２１に差し込んで、図２（ｂ）の正面板１側から見た斜視図に示すような実施形態の包装完了状態となる。
【００２１】
実施形態の展示にあたっては、前述した図２（ｂ）の実施形態の包装完了状態から、図に表われないが、背面板１の上下両端辺間略中央部で一側端の縦折線Ｌ１近傍に刻設された逆コ字状切目を始点として、平行な鉤状破断線Ｌ１７及びＬ１８間に形成された帯状の横断ジッパー１８を切り破ることにより、包装完了状態のカートンＡ’を上下に分断し、カートンＡ’の上部を取り去るとカートンＡ’の下部は浅いトレー状となって、図３に示す、実施形態の横断ジッパーによる開封後における収納物Ｍが横長に並列した陳列展示状態となる。
【００２２】
一方、前述した図２（ｂ）の実施形態の包装完了状態から、先ず天面板８の上端辺の横向きコ字状切目を始点として形成され平行なＹ字状破断線Ｌ２１とＬ２２とで天面板８と正面板３との中央部を縦断する縦断ジッパー２０を切り破り、次いで露出した重合天面板６の上端辺に突出する逆Ｕ字状凸部を始点として形成され平行なＹ字状破断線Ｌ１９とＬ２０とで重合天面板６と背面板１との中央部を縦断する縦断ジッパー１９を切り破った後、底面板１０及び１２のそれぞれに刻設された底面区画縦折線Ｌ２５及びＬ２６を用いて外向きに折り曲げて、振り分け荷物状となった、一方が底面区画縦折線Ｌ２５及びＬ２６で区画され折り曲げられた底面板１０及び１２と、縦断ジッパー２０及び１９でそれぞれ切り破られ分割された天面板８と正面板３と背面板１と、右側面板４とで形成され、他方が底面区画縦折線Ｌ２５及びＬ２６で区画され折り曲げられた底面板１０及び１２と、縦断ジッパー２０及び１９でそれぞれ切り破られ分割された天面板８と正面板３と背面板１と、右側面板４とで形成された、それぞれ上端開放トレー状部の、それぞれ正面板３に刻設されたコ字状の破断線Ｌ２３及びＬ２４を用いて上端辺から下向きコ字状の切除予定部（２３）及び（２４）を切り破って切欠部を形成することにより、図４に示す、実施形態の縦断ジッパーによる開封後に収納物Ｍが縦長に並列した陳列展示状態となる。尚、左右両側面板２及び４に連設された重合底面板１１及び１３の長さは、カートンＡ’左右幅の半分の長さとされているので、上記した縦断ジッパー１９による開封後、底面板１０及び１２のそれぞれに刻設された底面区画縦折線Ｌ２５及びＬ２６による折り曲げ操作によっても、底面板１０及び１２が折り曲げられた部分から突出することがなく、展示性を損なうことがない。また、振り分けられた左右のトレー状部分は、所定幅を有する縦断ジッパーの開封により、図４のように、それぞれの開口上端辺から収納物Ｍの一部が突出することになるので、収納物Ｍの取り出しが容易となる。
【００２３】
本発明に係る陳列兼用カートンの実施形態において、横断ジッパー１８はそれぞれ直線状に配され、カートンの横折線に平行な鉤状破断線Ｌ１７及びＬ１８で刻設形成され、縦断ジッパー１９及び２０は、それぞれ直線状に配され、カートンの縦折線に平行なＹ字状破断線Ｌ１９及びＬ２０、同じく平行なＹ字状破断線Ｌ２１及びＬ２２で刻設形成されている。また、正面板３に縦断ジッパー２０を形成するＹ字状破断線Ｌ２１及びＬ２２の外向きにそれぞれ正逆に横向きコ字状をなす断続する切目線からなる破断線が刻設形成されているが、それぞれの破断線の形式や形状はこれに限定されるものではない。また、それぞれの破断線の断続するピッチや鉤状、Ｙ字状の大きさも限定されるものではなく、カートンサイズや収納物の重量、刻設される位置、ジッパーの幅寸法等により、適宜選択して使用されるものである。
【００２４】
上記の実施形態では、収納物Ｍをカートン等の「矩形状」の収納物とし、並列状態での集積収納において、収納物の上端部が突き合わされた状態での収納としたが、これに限定されるものではなく、図示は省略するが、例えば自立性袋のように、正面視略矩形状で、上部が略扁平で底部が膨出した側断面が逆Ｖ字形状をなす収納物の場合、積層収納する際に、積層される自立性袋が天地方向を交互に違えた正面向きの横置き状態で、且つ自立性袋のそれぞれの上端部が所定の幅で相互に重なり合うように収納されることによりコンパクトに収納され、搬送状態においては、陳列兼用カートン内での無用な揺動が抑制されて、収納物の破損や内容物の漏出が防止でき、陳列展示状態においては、前述した縦断ジッパーの開封と底面板の底面区画縦折線の折り曲げにより、振り分け荷物型にカートンが開封され、振り分けられたそれぞれのトレー状部分に自立性袋が縦置き状態となり、隣り合うトレー状部分で自立性袋が並列となった陳列状態とすることができる。
【符号の説明】
【００２５】
Ａ                      ブランク
Ａ’                    カートン
１                      背面板
２                      左側面板
３                      正面板
４                      右側面板
５                      貼着板
６                      重合天面板
７                      天面支持板
８                      天面板
９                      天面支持板
１０                      底面板
１１                      重合底面板
１２                      底面板
１３                      重合底面板
１４、１５                貼着底面板
１６、１７                係止差込片
１８                      横断ジッパー
１９、２０                縦断ジッパー
２１、２２                係止差込溝
（２３）、（２４）          切除予定部
Ｌ１〜Ｌ４                縦折線
Ｌ５〜Ｌ１２              横折線
Ｌ１３、Ｌ１４              斜め折線
Ｌ１５、Ｌ１６              横折線
Ｌ１７、Ｌ１８              鉤状破断線
Ｌ１９〜Ｌ２２              Ｙ字状破断線
Ｌ２３、Ｌ２４              破断線
Ｌ２５、Ｌ２６              底面区画縦折線
Ｍ                      収納物
【図１】
0005585214.tif 000002
【図２】
0005585214.tif 000003
【図３】
0005585214.tif 000004
【図４】
0005585214.tif 000005